(57)【要約】【課題】アスピレータを実際に設置するための現場作業等における作業性の向上や確実さを得ることができるとともに、製造コストを低減することのできる、新規な管路形成適性を向上させたアスピレータバルブを開発することを技術課題とした。【解決手段】  内部を混合流路Ｓとした本体管部１と、この本体管部１に組み込まれる吸入ノズル２とを具えて成り、前記本体管部１は、その両端に適宜の管路に接続するための接続構造１３を有するとともに、その中間部に吸入ノズル２の接続部を設け、一方、前記吸入ノズル２は、ノズル本体２１と、その上流側に設けられる調整弁２２とを有し、前記ノズル本体２１の先端部を本体管部１におけるノズル接続部１２から混合流路Ｓに臨ませたことを特徴として成る。【選択図】図１
2016179459.tif 000002
【特許請求の範囲】
【請求項１】
内部を混合流路とした本体管部と、
この本体管部に組み込まれる吸入ノズルとを具えて成り、
前記本体管部は、その両端に適宜の管路に接続するための接続構造を有するとともに、その中間部に吸入ノズルの接続部を設け、
一方、前記吸入ノズルは、ノズル本体と、その上流側に設けられる調整弁とを有し、前記ノズル本体の先端部を本体管部におけるノズル接続部から混合流路に臨ませたことを特徴とする管路形成適性を向上させたアスピレータバルブ。
【請求項２】
前記本体管部の流れ方向の中間外周部には、工具掛部を設けるとともに、その前後に他の管路との接続構造としての雄ネジを形成し、
前記工具掛部を外側から混合流路側に貫いてノズル接続部を構成したことを特徴とする請求項１記載の管路形成適性を向上させたアスピレータバルブ。
【発明の詳細な説明】
【技術分野】
【０００１】
本発明は管路中を流れる流体中に気体・液体・固体等を微細に混合するためのアスピレータに関するものであり、特に実際の配管作業を行いやすくして、施工能率を向上させることのできる、管路形成適性を向上させたアスピレータバルブに係るものである。
【背景技術】
【０００２】
アスピレータあるいはエゼクタと称される混合機能部材は、流体が移動する管路中にノズルを合流させ、管路中を流れる流体（搬送流体）の流れを利用して混合・添加物をその流れの中に引き込み、微細且つ均一な混合物を作るものである。
このようなアスピレータは、搬送流体の性状（例えば粘度の違い）、混合物の性状等に応じて最適な混合状態得るために種々の工夫が成されており、例えば本出願人は特許４９６０３５号「バブル発生用バルブ装置」（特許文献１）、特許５１９３３１６号「アスピレータバルブ装置」（特許文献２）として関連技術について特許を取得している。
【０００３】
ところでアスピレータが組み込まれた装置を実際に設置するための現場作業等では、できるだけ規格寸法の部材を用いて配管作業をすることが作業性の向上や確実さを得る点で好ましい。
しかしながら従来、アスピレータはあくまで特別な機能部品として認識されており、汎用の規格部品に合わせた形状を採るための工夫は殆どない。
またアスピレータの内部は複雑な構造であるため、その構成要素も専用の部品として製造しなければならず、製造コストを低減させることには限界があった。
【先行技術文献】
【特許文献】
【０００４】
【特許文献１】特許４９６０３５号公報
【特許文献２】特許５１９３３１６号公報
【発明の概要】
【発明が解決しようとする課題】
【０００５】
本発明はこのような状況を考慮して成されたものであって、アスピレータを実際に設置するための現場作業等における作業性の向上や確実さを得ることができるとともに、製造コストを低減することのできる、新規な管路形成適性を向上させたアスピレータバルブを開発することを技術課題とした。
【課題を解決するための手段】
【０００６】
まず請求項１記載の管路形成適性を向上させたアスピレータバルブは、内部を混合流路とした本体管部と、この本体管部に組み込まれる吸入ノズルとを具えて成り、前記本体管部は、その両端に適宜の管路に接続するための接続構造を有するとともに、その中間部に吸入ノズルの接続部を設け、一方、前記吸入ノズルは、ノズル本体と、その上流側に設けられる調整弁とを有し、前記ノズル本体の先端部を本体管部におけるノズル接続部から混合流路に臨ませたことを特徴として成るものである。
【０００７】
また請求項２記載の管路形成適性を向上させたアスピレータバルブは、前記要件に加え、前記本体管部の流れ方向の中間外周部には、工具掛部を設けるとともに、その前後に他の管路との接続構造としての雄ネジを形成し、前記工具掛部を外側から混合流路側に貫いてノズル接続部を構成したことを特徴として成るものである。
そしてこれら各請求項記載の構成を手段として前記課題の解決が図られる。
【発明の効果】
【０００８】
まず請求項１記載の発明によれば、アスピレータを実際に設置するための現場作業等における作業性の向上や確実さを得ることができるとともに、製造コストを低減することができる。
【０００９】
また請求項２記載の発明によれば、例えば市販の規格品である角ニップル継手を用いてアスピレータバルブを構成することができ、よりいっそうのコスト低減を図ることができる。
【図面の簡単な説明】
【００１０】
【図１】本発明の管路形成適性を向上させたアスピレータバルブを示す斜視図及び分解斜視図である。
【図２】本発明の管路形成適性を向上させたアスピレータバルブを示す正面図、平面図及び側面図である。
【図３】本発明の管路形成適性を向上させたアスピレータバルブの稼働状態を示す断面図である。
【図４】径違い角ニップル継手を用いて構成された本発明の管路形成適性を向上させたアスピレータバルブを示す斜視図及びその稼働状態を示す断面図である。
【図５】イモネジと一体化されたノズル本体を用いる実施例を示す正面図である。
【図６】ノズル本体の形態を異ならせた実施例を示す正面図である。
【発明を実施するための形態】
【００１１】
本発明を実施するための形態は、以下述べる実施例をその一つとするものであると共に、この技術思想に基づく種々の改良した実施例も含むものである。
【実施例】
【００１２】
以下本発明を図１〜３に示す基本となる構成に基づいて具体的に説明する。図中符号Ａで示すものが本発明の「管路形成適性を向上させたアスピレータバルブ」（以下、アスピレータバルブと称する。）であって、このものは管路中を流れる流体中に気体・液体・固体等を微細に混合するための機器である。
また本発明のアスピレータバルブＡは図３に示すように、配管Ｐの途中に組み込まれて、管路中を流れる流体（以下、搬送流体Ｃと称する。）中に気体・液体・固体等を微細に混合するためのものである。
【００１３】
前記アスピレータバルブＡは、内部を混合流路Ｓとした本体管部１と、この本体管部１に組み込まれる吸入ノズル２とを具えて成るものである。
そして前記本体管部１は、その両端に適宜の配管Ｐに接続するための（規格対応の）接続構造を有するとともに、その中間部に吸入ノズル２の接続部が設けられるものであり、前記本体管部１の流れ方向の中間外周部には、工具掛部１１の一例としての六角両面面取部が形成される。なお工具掛部１１の形態はこれ以外にも、四角両面面取、八角両面面取等、適宜の形態が採り得るものである。
具体的には本体管部１の外周部における工具掛部１１の前後に、他の配管Ｐとの接続構造１３としての雄ネジ１３ａが形成される。
更に前記工具掛部１１を外側から混合流路Ｓ側に貫くように、吸入ノズル２の接続部としてのノズル接続部１２が穿設される。
上述のような本体管部１は、一例として市販の規格品である角ニップル継手を用い、その工具掛部１１の一面にノズル接続部１２を穿設することにより容易に構成することができるものである。
【００１４】
一方、前記吸入ノズル２は、ノズル本体２１と、その上流側に設けられる調整弁２２とを有し、前記ノズル本体２１の先端部を、本体管部１におけるノズル接続部１２から混合流路Ｓに臨ませるように設けられるものである。なおノズル本体２１の先端部をこのような状態とするにあたっては、ノズル本体２１を本体管部１における混合流路Ｓから挿入する場合と、ノズル本体２１をノズル接続部１２から挿入する場合とがある。
この実施例では、ノズル本体２１を本体管部１における混合流路Ｓから挿入する場合について説明するものであり、ノズル本体２１を一例としてＬ字状に屈曲された管路によって構成するものであり。
そしてノズル本体２１を横倒しにした状態で混合流路Ｓ内に位置させ、次いで引き起こしながら図１に示すように雄ネジ２１ｂが螺設された一辺をノズル接続部１２に挿通状態とし、他の一辺を混合流路Ｓ中に位置させて、その噴出口２１ａが図３に示すように混合流路Ｓの下流側に指向するようにする。なお当然ながら前記ノズル接続部１２の径並びにノズル本体２１の長辺及び短辺の寸法は、上述のような混合流路Ｓ内におけるノズル本体２１の引き起こし動作が行えるように設定されるものである。
【００１５】
次いでノズル接続部１２とノズル本体２１との間に、スリーブ２３を設けるとともに適宜シーリング、溶接を行うことにより、ノズル接続部１２からの搬送流体Ｃの漏れ防止が図られる。なおスリーブ２３はノズル接続部１２とノズル本体２１との間の空間を埋めるものであり、その形状については、前記ノズル接続部１２及びノズル本体２１の形状に合わせて適宜設定されるものである。
【００１６】
そして本発明のアスピレータバルブＡは図１、２に示すように、前記ノズル本体２１のスリーブ２３から突出した部位に調整弁２２を接続し、更にこの調整弁２２に逆止弁２５を接続して構成される。
【００１７】
本発明のアスピレータバルブＡは一例として上述のように構成されるものであり、以下その設置態様及び作動態様について説明する。
なおこの実施例では、アスピレータバルブＡの混合流路を流れる搬送流体Ｃを水とし、この水に対して吸入ノズル２により空気（外気）を混入する形態について説明する。
【００１８】
まず図１、３に示すように、本体管部１における接続構造１３としての雄ネジ１３ａに対して配管Ｐを接続する。この際、噴出口２１ａが指向する方向を搬送流体Ｃの下流側とし、その反対側を上流側とするものである。
【００１９】
そして上流側の配管Ｐに搬送流体Ｃとしての水が供給されるものであり、その流れによって混合流路Ｓ内の圧力が低下する。この状態で調整弁２２のレバー２２ａを操作して開度を適宜操作することにより、逆止弁２５から取り込まれた外気が、調整弁２２を経由してノズル本体２１を通過し、噴出口２１ａから混合流路Ｓ内に供給される。この際、搬送流体Ｃがノズル本体２１に衝突することにより乱流が生じるため、外気が搬送流体Ｃ中に微細な気泡Ｂとなって均一に分散することとなる。
このように気泡Ｂが分散した搬送流体Ｃ（水）は、魚の養殖・種苗の育成に供されたり、更にはエステティックサロン、公衆浴場等に具えられる循環装置のフィルタからの異物除去等に供されるものである。
【００２０】
〔他の実施例〕
本発明は上述した実施例を基本となる実施例とするものであるが、本発明の技術思想に基づいて以下に示す様な実施例を採ることもできる。
まず上述した基本となる実施例では、本体管部１を構成する際に、市販の規格品である角ニップル継手を用いたが、図４（ａ）に示すような同じく市販の規格品である径違い角ニップル継手を採用することもできる。
このような径違い角ニップル継手は、工具掛部１１の両側に位置する接続構造１３の径が異なるものであり、図４（ｂ）に示すように内部にテーパー面１５が形成されたものである。
このため図４（ｂ）に示すように、径違い角ニップル継手を用いてアスピレータバルブＡを構成した場合には、ノズル本体２１の噴出口２１ａ付近でベンチュリ効果により搬送流体Ｃの速度が増して圧力が減少するため、ノズル本体２１を通じての外気吸引をより強力に行うことが可能となる。
【００２１】
またノズル本体２１の先端部を、本体管部１におけるノズル接続部１２から混合流路Ｓに臨ませるように設けるための構成として、図５に示す様な形態を採ることもできる。具体的には、ノズル接続部１２に雌ネジを刻設し、ここにイモネジ２１ｃと一体化されたノズル本体２１を横倒し状態にして噴出口２１ａ側を挿入し、次いでノズル本体２１を引き起こした状態でイモネジ２１ｃを締め込み、噴出口２１ａが所望の方向を向いた状態とする。この際、締め込み具合を微調整することにより、噴出口２１ａの方向を微調整することが可能である。
なお前記イモネジ２１ｃ及び後述するイモネジ２１ｄは一例として六角穴が形成されたものであり、この六角穴の一部または全部が貫通状態とされるものである。
そして前記イモネジ２１ｃとノズル接続部１２との境界部を適宜液状パテでシーリングしたり、溶接を行うことにより、ノズル接続部１２からの搬送流体Ｃの漏れ防止とノズル本体２１の固定が図られる。
【００２２】
なおノズル接続部１２が深穴となっている場合には、イモネジ２１ｄをホロセットスクリューとして用いるようにしてもよい。この際、イモネジ２１ｄを長寸としてその上部をノズル接続部１２の上方に突出させ、ここに適宜のカプラを用いて調整弁２２を接続するような形態を採ることもできる。
またこの場合、ホロセットスクリューとして用いたイモネジ２１ｄを取り外して、ノズル本体２１と一体化されたイモネジ２１ｃの締め込み具合を微調整することにより、噴出口２１ａの方向を再調整することが可能となる。
【００２３】
更にまた前記吸入ノズル２は、その先端部を本体管部１におけるノズル接続部１２から混合流路Ｓに臨ませたものとするため、上述した実施例以外にも、特に混合流路Ｓが小径である場合が考慮された、図６に示すようなのものとすることができる。
まず６（ａ）に示す形態は、管路をＬ字状に屈曲させて形成されたノズル本体２１の短辺側を短くすることにより、噴出口２１ａ側をノズル接続部１２の外側から挿入することができるようにしたものである。
また図６（ｂ）に示す形態は、管路を鈍角状に屈曲させてノズル本体２１を形成したものであり、同様に噴出口２１ａ側をノズル接続部１２の外側から挿入することができるようにしたものである。
更にまた図６（ｃ）に示す形態は、管路を屈曲させることなく、その先端部を斜めに切除することによりノズル本体２１を形成したものであり、噴出口２１ａが下流に向かって開口するようにしたものである。
【００２４】
なお図６（ａ）に示すように、本体管部１における接続構造１３として雌ネジ１３ｂを採用するとともに、配管Ｐ側に雄ネジを形成するようにしてもよい。
【符号の説明】
【００２５】
１      本体管部
１１    工具掛部
１２    ノズル接続部
１３    接続構造
１３ａ  雄ネジ
１３ｂ  雌ネジ
１５    テーパー面
２      吸入ノズル
２１    ノズル本体
２１ａ  噴出口
２１ｂ  雄ネジ
２１ｃ  イモネジ
２１ｄ  イモネジ
２２    調整弁
２２ａ  レバー
２３    スリーブ
２５    逆止弁
Ａ      アスピレータバルブ
Ｂ      気泡
Ｃ      搬送流体
Ｐ      配管
Ｓ      混合流路
【図１】
2016179459.tif 000003
【図２】
2016179459.tif 000004
【図３】
2016179459.tif 000005
【図４】
2016179459.tif 000006
【図５】
2016179459.tif 000007
【図６】
2016179459.tif 000008
【手続補正書】
【提出日】平成28年5月13日(2016.5.13)
【手続補正１】
【補正対象書類名】明細書
【補正対象項目名】全文
【補正方法】変更
【補正の内容】
【発明の詳細な説明】
【技術分野】
【０００１】
本発明は管路中を流れる流体中に気体・液体・固体等を微細に混合するためのアスピレータに関するものであり、特に実際の配管作業を行いやすくして、施工能率を向上させることのできる、管路形成適性を向上させたアスピレータバルブに係るものである。
【背景技術】
【０００２】
アスピレータあるいはエゼクタと称される混合機能部材は、流体が移動する管路中にノズルを合流させ、管路中を流れる流体（搬送流体）の流れを利用して混合・添加物をその流れの中に引き込み、微細且つ均一な混合物を作るものである。
このようなアスピレータは、搬送流体の性状（例えば粘度の違い）、混合物の性状等に応じて最適な混合状態得るために種々の工夫が成されており、例えば本出願人は特許４９６０３５号「バブル発生用バルブ装置」（特許文献１）、特許５１９３３１６号「アスピレータバルブ装置」（特許文献２）として関連技術について特許を取得している。
【０００３】
ところでアスピレータが組み込まれた装置を実際に設置するための現場作業等では、できるだけ規格寸法の部材を用いて配管作業をすることが作業性の向上や確実さを得る点で好ましい。
しかしながら従来、アスピレータはあくまで特別な機能部品として認識されており、汎用の規格部品に合わせた形状を採るための工夫は殆どない。
またアスピレータの内部は複雑な構造であるため、その構成要素も専用の部品として製造しなければならず、製造コストを低減させることには限界があった。
【先行技術文献】
【特許文献】
【０００４】
【特許文献１】特許４９６０３５号公報
【特許文献２】特許５１９３３１６号公報
【発明の概要】
【発明が解決しようとする課題】
【０００５】
本発明はこのような状況を考慮して成されたものであって、アスピレータを実際に設置するための現場作業等における作業性の向上や確実さを得ることができるとともに、製造コストを低減することのできる、新規な管路形成適性を向上させたアスピレータバルブを開発することを技術課題とした。
【課題を解決するための手段】
【０００６】
まず請求項１記載の管路形成適性を向上させたアスピレータバルブは、内部を混合流路とした本体管部と、この本体管部に組み込まれる吸入ノズルとを具えて成り、前記本体管部は、その両端に適宜の管路に接続するための接続構造を有するとともに、その中間部に吸入ノズルの接続部を設け、一方、前記吸入ノズルは、ノズル本体と、その上流側に設けられる調整弁とを有し、前記ノズル本体の先端部を本体管部におけるノズル接続部から混合流路に臨ませて成るアスピレータバルブであって、前記本体管部を、規格品である角ニップル継手または径違い角ニップル継手を用いて構成することにより、前記本体管部の流れ方向の中間外周部に工具掛部が位置するとともに、この工具掛部の前後に他の管路との接続構造としての雄ネジが形成された構成とし、更に前記工具掛部を外側から混合流路側に貫いてノズル接続部を構成し、更に前記ノズル本体を、その先端部を斜めに切除するとともに、噴出口が下流に向かって開口するように形成したことを特徴として成るものである。
そして上記請求項記載の構成を手段として前記課題の解決が図られる。
【発明の効果】
【０００７】
請求項１記載の発明によれば、アスピレータを実際に設置するための現場作業等における作業性の向上や確実さを得ることができるとともに、製造コストを低減することができる。
また、例えば市販の規格品である角ニップル継手を用いてアスピレータバルブを構成することができ、よりいっそうのコスト低減を図ることができる。
【図面の簡単な説明】
【０００８】
【図１】本発明の管路形成適性を向上させたアスピレータバルブを示す斜視図及び分解斜視図である。
【図２】本発明の管路形成適性を向上させたアスピレータバルブを示す正面図、平面図及び側面図である。
【図３】本発明の管路形成適性を向上させたアスピレータバルブの稼働状態を示す断面図である。
【図４】径違い角ニップル継手を用いて構成された本発明の管路形成適性を向上させたアスピレータバルブを示す斜視図及びその稼働状態を示す断面図である。
【図５】イモネジと一体化されたノズル本体を用いる実施例を示す正面図である。
【図６】ノズル本体の形態を異ならせた実施例を示す正面図である。
【発明を実施するための形態】
【０００９】
本発明を実施するための形態は、以下述べる実施例をその一つとするものであると共に、この技術思想に基づく種々の改良した実施例も含むものである。
【実施例】
【００１０】
以下本発明を図１〜３に示す基本となる構成に基づいて具体的に説明する。図中符号Ａで示すものが本発明の「管路形成適性を向上させたアスピレータバルブ」（以下、アスピレータバルブと称する。）であって、このものは管路中を流れる流体中に気体・液体・固体等を微細に混合するための機器である。
また本発明のアスピレータバルブＡは図３に示すように、配管Ｐの途中に組み込まれて、管路中を流れる流体（以下、搬送流体Ｃと称する。）中に気体・液体・固体等を微細に混合するためのものである。
【００１１】
前記アスピレータバルブＡは、内部を混合流路Ｓとした本体管部１と、この本体管部１に組み込まれる吸入ノズル２とを具えて成るものである。
そして前記本体管部１は、その両端に適宜の配管Ｐに接続するための（規格対応の）接続構造を有するとともに、その中間部に吸入ノズル２の接続部が設けられるものであり、前記本体管部１の流れ方向の中間外周部には、工具掛部１１の一例としての六角両面面取部が形成される。なお工具掛部１１の形態はこれ以外にも、四角両面面取、八角両面面取等、適宜の形態が採り得るものである。
具体的には本体管部１の外周部における工具掛部１１の前後に、他の配管Ｐとの接続構造１３としての雄ネジ１３ａが形成される。
更に前記工具掛部１１を外側から混合流路Ｓ側に貫くように、吸入ノズル２の接続部としてのノズル接続部１２が穿設される。
上述のような本体管部１は、一例として市販の規格品である角ニップル継手を用い、その工具掛部１１の一面にノズル接続部１２を穿設することにより容易に構成することができるものである。
【００１２】
一方、前記吸入ノズル２は、ノズル本体２１と、その上流側に設けられる調整弁２２とを有し、前記ノズル本体２１の先端部を、本体管部１におけるノズル接続部１２から混合流路Ｓに臨ませるように設けられるものである。なおノズル本体２１の先端部をこのような状態とするにあたっては、ノズル本体２１を本体管部１における混合流路Ｓから挿入する場合と、ノズル本体２１をノズル接続部１２から挿入する場合とがある。
この実施例では、ノズル本体２１を本体管部１における混合流路Ｓから挿入する場合について説明するものであり、ノズル本体２１を一例としてＬ字状に屈曲された管路によって構成するものであり。
そしてノズル本体２１を横倒しにした状態で混合流路Ｓ内に位置させ、次いで引き起こしながら図１に示すように雄ネジ２１ｂが螺設された一辺をノズル接続部１２に挿通状態とし、他の一辺を混合流路Ｓ中に位置させて、その噴出口２１ａが図３に示すように混合流路Ｓの下流側に指向するようにする。なお当然ながら前記ノズル接続部１２の径並びにノズル本体２１の長辺及び短辺の寸法は、上述のような混合流路Ｓ内におけるノズル本体２１の引き起こし動作が行えるように設定されるものである。
【００１３】
次いでノズル接続部１２とノズル本体２１との間に、スリーブ２３を設けるとともに適宜シーリング、溶接を行うことにより、ノズル接続部１２からの搬送流体Ｃの漏れ防止が図られる。なおスリーブ２３はノズル接続部１２とノズル本体２１との間の空間を埋めるものであり、その形状については、前記ノズル接続部１２及びノズル本体２１の形状に合わせて適宜設定されるものである。
【００１４】
そして本発明のアスピレータバルブＡは図１、２に示すように、前記ノズル本体２１のスリーブ２３から突出した部位に調整弁２２を接続し、更にこの調整弁２２に逆止弁２５を接続して構成される。
【００１５】
本発明のアスピレータバルブＡは一例として上述のように構成されるものであり、以下その設置態様及び作動態様について説明する。
なおこの実施例では、アスピレータバルブＡの混合流路を流れる搬送流体Ｃを水とし、この水に対して吸入ノズル２により空気（外気）を混入する形態について説明する。
【００１６】
まず図１、３に示すように、本体管部１における接続構造１３としての雄ネジ１３ａに対して配管Ｐを接続する。この際、噴出口２１ａが指向する方向を搬送流体Ｃの下流側とし、その反対側を上流側とするものである。
【００１７】
そして上流側の配管Ｐに搬送流体Ｃとしての水が供給されるものであり、その流れによって混合流路Ｓ内の圧力が低下する。この状態で調整弁２２のレバー２２ａを操作して開度を適宜操作することにより、逆止弁２５から取り込まれた外気が、調整弁２２を経由してノズル本体２１を通過し、噴出口２１ａから混合流路Ｓ内に供給される。この際、搬送流体Ｃがノズル本体２１に衝突することにより乱流が生じるため、外気が搬送流体Ｃ中に微細な気泡Ｂとなって均一に分散することとなる。
このように気泡Ｂが分散した搬送流体Ｃ（水）は、魚の養殖・種苗の育成に供されたり、更にはエステティックサロン、公衆浴場等に具えられる循環装置のフィルタからの異物除去等に供されるものである。
【００１８】
〔他の実施例〕
本発明は上述した実施例を基本となる実施例とするものであるが、本発明の技術思想に基づいて以下に示す様な実施例を採ることもできる。
まず上述した基本となる実施例では、本体管部１を構成する際に、市販の規格品である角ニップル継手を用いたが、図４（ａ）に示すような同じく市販の規格品である径違い角ニップル継手を採用することもできる。
このような径違い角ニップル継手は、工具掛部１１の両側に位置する接続構造１３の径が異なるものであり、図４（ｂ）に示すように内部にテーパー面１５が形成されたものである。
このため図４（ｂ）に示すように、径違い角ニップル継手を用いてアスピレータバルブＡを構成した場合には、ノズル本体２１の噴出口２１ａ付近でベンチュリ効果により搬送流体Ｃの速度が増して圧力が減少するため、ノズル本体２１を通じての外気吸引をより強力に行うことが可能となる。
【００１９】
またノズル本体２１の先端部を、本体管部１におけるノズル接続部１２から混合流路Ｓに臨ませるように設けるための構成として、図５に示す様な形態を採ることもできる。具体的には、ノズル接続部１２に雌ネジを刻設し、ここにイモネジ２１ｃと一体化されたノズル本体２１を横倒し状態にして噴出口２１ａ側を挿入し、次いでノズル本体２１を引き起こした状態でイモネジ２１ｃを締め込み、噴出口２１ａが所望の方向を向いた状態とする。この際、締め込み具合を微調整することにより、噴出口２１ａの方向を微調整することが可能である。
なお前記イモネジ２１ｃ及び後述するイモネジ２１ｄは一例として六角穴が形成されたものであり、この六角穴の一部または全部が貫通状態とされるものである。
そして前記イモネジ２１ｃとノズル接続部１２との境界部を適宜液状パテでシーリングしたり、溶接を行うことにより、ノズル接続部１２からの搬送流体Ｃの漏れ防止とノズル本体２１の固定が図られる。
【００２０】
なおノズル接続部１２が深穴となっている場合には、イモネジ２１ｄをホロセットスクリューとして用いるようにしてもよい。この際、イモネジ２１ｄを長寸としてその上部をノズル接続部１２の上方に突出させ、ここに適宜のカプラを用いて調整弁２２を接続するような形態を採ることもできる。
またこの場合、ホロセットスクリューとして用いたイモネジ２１ｄを取り外して、ノズル本体２１と一体化されたイモネジ２１ｃの締め込み具合を微調整することにより、噴出口２１ａの方向を再調整することが可能となる。
【００２１】
更にまた前記吸入ノズル２は、その先端部を本体管部１におけるノズル接続部１２から混合流路Ｓに臨ませたものとするため、上述した実施例以外にも、特に混合流路Ｓが小径である場合が考慮された、図６に示すようなのものとすることができる。
まず６（ａ）に示す形態は、管路をＬ字状に屈曲させて形成されたノズル本体２１の短辺側を短くすることにより、噴出口２１ａ側をノズル接続部１２の外側から挿入することができるようにしたものである。
また図６（ｂ）に示す形態は、管路を鈍角状に屈曲させてノズル本体２１を形成したものであり、同様に噴出口２１ａ側をノズル接続部１２の外側から挿入することができるようにしたものである。
更にまた図６（ｃ）に示す形態は、管路を屈曲させることなく、その先端部を斜めに切除することによりノズル本体２１を形成したものであり、噴出口２１ａが下流に向かって開口するようにしたものである。
【００２２】
なお図６（ａ）に示すように、本体管部１における接続構造１３として雌ネジ１３ｂを採用するとともに、配管Ｐ側に雄ネジを形成するようにしてもよい。
【符号の説明】
【００２３】
１      本体管部
１１    工具掛部
１２    ノズル接続部
１３    接続構造
１３ａ  雄ネジ
１３ｂ  雌ネジ
１５    テーパー面
２      吸入ノズル
２１    ノズル本体
２１ａ  噴出口
２１ｂ  雄ネジ
２１ｃ  イモネジ
２１ｄ  イモネジ
２２    調整弁
２２ａ  レバー
２３    スリーブ
２５    逆止弁
Ａ      アスピレータバルブ
Ｂ      気泡
Ｃ      搬送流体
Ｐ      配管
Ｓ      混合流路
【手続補正２】
【補正対象書類名】特許請求の範囲
【補正対象項目名】全文
【補正方法】変更
【補正の内容】
【特許請求の範囲】
【請求項１】
内部を混合流路とした本体管部と、
この本体管部に組み込まれる吸入ノズルとを具えて成り、
前記本体管部は、その両端に適宜の管路に接続するための接続構造を有するとともに、その中間部に吸入ノズルの接続部を設け、
一方、前記吸入ノズルは、ノズル本体と、その上流側に設けられる調整弁とを有し、前記ノズル本体の先端部を本体管部におけるノズル接続部から混合流路に臨ませて成るアスピレータバルブであって、
前記本体管部を、規格品である角ニップル継手または径違い角ニップル継手を用いて構成することにより、
前記本体管部の流れ方向の中間外周部に工具掛部が位置するとともに、この工具掛部の前後に他の管路との接続構造としての雄ネジが形成された構成とし、
更に前記工具掛部を外側から混合流路側に貫いてノズル接続部を構成し、
更に前記ノズル本体を、その先端部を斜めに切除するとともに、噴出口が下流に向かって開口するように形成したことを特徴とする管路形成適性を向上させたアスピレータバルブ。